(57)【要約】  本発明は、プロファイル・ストリップ（２）および環状封止要素（７）を備えるプロファイル・クランプであって、プロファイル・ストリップは、張力要素（６）によって相互連結された２つの張力ヘッド（３、４）を有する、プロファイル・クランプに関する。本発明はまた、対応する封止要素（７）およびこのタイプのプロファイル・クランプを備える導管連結組立体に関する。封止要素がプロファイル・クランプ上で回転できないように保持されることを確実にするために、封止要素（７）は、径方向に外方向に延び、張力要素（６）上で保持される、保持ラグ（８）を有する。【選択図】  図１
2019511684.tif 000002
【特許請求の範囲】
【請求項１】
プロファイル・ストリップ（２）およびリング形状の封止要素（７）を備えるプロファイル・クランプであって、前記プロファイル・ストリップ（２）は、張力要素（６）によって共に連結された２つの張力ヘッド（３、４）を備え、
前記封止要素（７）が、前記張力要素（６）上に保持される、径方向に外方向に突起する保持ラグ（８）を備える、プロファイル・クランプ。
【請求項２】
前記保持ラグ（８）が、前記張力要素（６）を少なくとも部分的に包囲する湾曲した端部（１５）を備える、請求項１に記載のプロファイル・クランプ。
【請求項３】
前記封止要素（７）が、前記プロファイル・ストリップ（２）の凹部（１２）の領域内に配置された少なくとも１つの径方向に外方向に突出する突出部（１１）を備える、請求項１または２に記載のプロファイル・クランプ。
【請求項４】
前記突出部（１１）が、前記保持ラグ（８）の直径方向に反対側に配置される、請求項３に記載のプロファイル・クランプ。
【請求項５】
前記突出部（１１）が、前記プロファイル・ストリップ（２）の外側に径方向に位置する傾斜した端部分（１７）を備える、請求項３または４に記載のプロファイル・クランプ。
【請求項６】
前記プロファイル・ストリップ（２）が、可撓性のブリッジ要素（５）によって共に連結された２つのストリップ半体（２ａ、２ｂ）を備え、
前記凹部（１２）が、前記ブリッジ要素（５）によって渡された、前記ストリップ半体（２ａ、２ｂ）間の空間によって形成される、請求項１から５のいずれか一項に記載のプロファイル・クランプ。
【請求項７】
前記封止要素（７）の前記径方向突出部（１１）が、特に前記傾斜した端部分（１７）によって前記ブリッジ要素（５）に連結される、請求項６に記載のプロファイル・クランプ。
【請求項８】
前記封止要素（７）が、少なくとも１つの第１の径方向に内方向に突出するタブ（９）を備える、請求項１から７のいずれか一項に記載のプロファイル・クランプ。
【請求項９】
前記封止要素（７）が、円周方向に前記第１の内方向に突出するタブ（９）から間隔を空けた、第２の径方向に内方向に突出するタブ（１０）を備える、請求項８に記載のプロファイル・クランプ。
【請求項１０】
前記第１のタブ（９）および前記第２のタブ（１０）が、異なる寸法を含み、
特に円周方向の範囲が異なる、請求項９に記載のプロファイル・クランプ。
【請求項１１】
前記第１の端部（９）および前記第２のタブ（１０）が、円周方向に前記保持ラグ（８）から同じ距離を離して配置される、請求項９または１０に記載のプロファイル・クランプ。
【請求項１２】
前記封止要素（７）が、少なくとも１つ、特に２つの径方向に内方向に突出する、弾性的に変形可能な指部（１３、１４）を備える、請求項１から１１のいずれか一項に記載のプロファイル・クランプ。
【請求項１３】
請求項１から１２のいずれか一項に記載のプロファイル・クランプ用の封止要素（７）であって、張力要素（６）上で固定可能な径方向に外方向に延びる保持ラグ（８）を備える、封止要素（７）。
【請求項１４】
導管連結組立体であって、請求項１から１２のいずれか一項に記載のプロファイル・クランプ（１）が配置されるフランジ（１５）をその上に実現する導管端部を備える、導管連結組立体。
【請求項１５】
前記フランジが、前記封止要素（７）の前記タブ（９、１０）が係合する少なくとも１つのくぼみを備える、請求項１４に記載の導管連結組立体。
【発明の詳細な説明】
【技術分野】
【０００１】
本発明は、請求項１のプリアンブルに記載の封止要素を有するプロファイル・クランプ、ならびに対応する封止要素およびこのタイプのプロファイル・クランプを有する導管連結組立体に関する。
【背景技術】
【０００２】
そのようなプロファイル・クランプは、たとえば、径方向に外方向に向けられた連結フランジを有する２つの管端部間を流体密封式で連結するために機能する。プロファイル・クランプはこのとき、前記フランジ上に嵌合され、プロファイル・クランプに張力をかけることで、軸方向および径方向に保持力をかけることが可能である。プロファイル・ストリップの断面は、概して、この目的のためにＶ字形状またはＵ字形状で実現される。
【０００３】
連結フランジ間に軸方向に位置決めされる封止要素は、流体密封式の連結を達成するために使用されることが多い。封止要素がプロファイル・クランプ上に締め付けられない場合には、少なくとも２つの独立した構成要素、すなわちプロファイル・クランプおよび封止要素を取り扱う必要があり、その結果、プロファイル・クランプの取り付けが相対的に複雑になる。配管作業者は、このとき、封止要素およびプロファイル・クランプの両方を管に対して正しく位置決めする必要がある。
【０００４】
その結果、変形可能な締め付けブラケットを使用してリング形状ディスクとして実現される封止要素をプロファイル・ストリップにポジティブ・ロック式に連結することが、たとえば特許文献１に開示されている。締め付けブラケットは、この場合、封止要素と一体的に実現され得る。
【０００５】
特許文献２は、スペーサ付きの封止要素を設けることを提案している。このスペーサは、円周上に分散されて配置され、弾性的に変形可能であり、プロファイル・クランプの径方向内面と当接する。したがって、封止要素は、ポジティブ・ロック式ではない形でプロファイル・ストリップ上に保持され、封止要素を工具無しで取り付けることが可能である。
【０００６】
しかしながら、前記解決策は、封止要素とプロファイル・ストリップとの間の回転を防止しない。さらに、プロファイル・ストリップが広げられたときに封止要素が緩むというリスクがある。
【先行技術文献】
【特許文献】
【０００７】
【特許文献１】ＤＥ６０２１０１４２  Ｔ２
【特許文献２】ＤＥ１０２０１１１１６７６８  Ａ１
【発明の概要】
【発明が解決しようとする課題】
【０００８】
その結果、本発明の基礎となる目的は、プロファイル・クランプ内の封止要素の締め付けを改良することである。
【課題を解決するための手段】
【０００９】
本発明によれば、前記目的は、請求項１の特徴を有するプロファイル・クランプおよび請求項１３の特徴を有する封止要素および請求項１４の特徴を有する導管連結組立体によって達成される。有利な設計は、従属請求項に見出すことができる。
【００１０】
プロファイル・ストリップおよびリング形状の封止要素を備えるプロファイル・クランプの場合、プロファイル・ストリップは、張力要素によって共に連結される２つの張力ヘッドを備え、本発明により、封止要素が、張力要素上に保持される径方向に外方向に突起する保持ラグを備えるようにしている。
【００１１】
したがって、本発明によれば、封止要素は、プロファイル・ストリップ上で支持されるだけでなく、張力要素にも連結される。
【００１２】
この場合、前記連結は、回転防止機構として機能するが、プロファイル・クランプを曲げて開いたときに封止要素が緩むことを防止することもできる。この場合、保持ラグは、張力ヘッド間の領域内に延び、外側から容易に見える。プロファイル・ストリップの内側の封止要素の変位に対する適切な保護は、その結果、容易にロック可能である。
【００１３】
この場合、保持ラグが、張力要素を少なくとも部分的に包囲する、湾曲した端部を備えることが、特に好ましい。特に封止要素と一体化して実現される保持ラグは、したがって、囲むように保持ラグの端部を曲げるだけで張力要素上に保持されることが可能な外形を得る。その結果、生産は非常に簡単である。加えて、湾曲した端部を張力要素の周りで非常に簡単に案内することができるので、封止要素をほとんど手間無しにプロファイル・クランプ内にロックすることができる。また、張力要素に十分な運動自由度を維持することができるため、プロファイル・クランプの張力は損なわれない。
【００１４】
好ましい別の開発では、封止要素は、プロファイル・ストリップの凹部の領域内に配置された、少なくとも１つの径方向に外方向に突出する突出部を備える。前記径方向に外方向に突出する突出部は、変位に対する追加の保護として機能することができる。その結果、プロファイル・クランプ内側の封止要素の保持は、改良される。
【００１５】
この場合、突出部が保持ラグの直径方向に反対側に配置されることが特に好ましい。封止要素は、したがって、プロファイル・クランプ上の両側の位置で保持される。こうして、プロファイル・クランプの張力がかけられた状態と、張力がかけられない状態の両方において、プロファイル・ストリップの内側に対称的に位置する非常に安定した支承配置が存在する。
【００１６】
突出部は、好ましくは、プロファイル・ストリップの外側に径方向に位置する傾斜した端部分を備える。前記端部分は、この場合、たとえば、プロファイル・ストリップの外側に締め付けられることとしてもよい。しかし、この端部分が前記プロファイル・ストリップを少なくとも部分的に包囲すること、たとえばクリップの形態の締め付けを可能にすることも考えられる。
【００１７】
好ましい設計では、プロファイル・ストリップは、可撓性のブリッジ要素によって共に連結された２つのストリップ半体を備え、凹部が、ブリッジ要素によって渡された、ストリップ半体間の空間によって形成される。ブリッジ要素は、プロファイル・クランプを曲げて開くために必要な可撓性を提供するので、プロファイル・クランプを、より大きいフランジ上に内側から装着することもできる。ブリッジ要素によって渡された、突出部のために使用される凹部により、プロファイル・ストリップ上にさらなる凹部を必要としない。
【００１８】
この場合、封止要素の径方向突出部を特に傾斜した端部分によってブリッジ要素に連結することが特に好ましい。この場合、クリップ連結を設けることが可能である。この代替策として、端部分をブリッジ要素に溶接するか、またはエンボス式連結を設けることができる。
【００１９】
封止要素は、フランジ上の変位に対するさらなる保護のために少なくとも１つの第１の径方向に内方向に突出するタブを備えることができる。前記タブは、このとき、フランジ上の位置的に対応する凹部内に係合することができるので、こうして、プロファイル・クランプを円周方向に固定することもできる。その結果、プロファイル・クランプを片手でフランジ上に装着することが可能である。
【００２０】
この場合、封止要素が、第１の内方向に突出するタブから円周方向に間隔を空けた、第２の径方向に内方向に突出するタブを備えることが、特に好ましい。したがって、一方では、円周方向に発生する力を、考えられる限りより良好に吸収することができ、変位に対する保護が改良され、他方では、フランジに対するクランプの向きが、タブの位置決めに応じて予め決定される。
【００２１】
この場合、第１のタブおよび第２のタブが異なる寸法を備え、特に円周方向の範囲が異なることが特に好ましい。フランジ上の封止要素およびプロファイル・クランプの位置は、そのような設計によって正確に予め決定される。
【００２２】
第１のタブおよび第２のタブは、好ましくは、円周方向に保持ラグから同じ距離を離して配置される。タブは、この場合、特に張力顎部の領域内に配置される。その結果、対称的配置が存在するが、タブの寸法を異ならせてもよい。
【００２３】
好ましい別の開発では、封止要素は、少なくとも１つ、特に２つの径方向に内方向に突出する、弾性的に変形可能な指部を備える。フランジ上で封止要素のポジティブ・ロック式ではない保持を可能にするために、前記指部によってフランジ上に予備張力を及ぼすことができる。その結果、事前の位置決めが簡単になる。
【００２４】
導入部で記載された目的は、張力要素上で固定可能な径方向に外方向に延びる保持ラグを備えるプロファイル・クランプ用の封止要素によって達成される。保持ラグを使用することにより、プロファイル・クランプと封止要素との間に追加の連結が生み出され、この追加の連結もまた、封止要素とプロファイル・クランプとの間の回転を防止する。この場合、保持ラグは、特に封止要素と一体的に実現され得る。
【００２５】
導入部で記載された目的はまた、請求項１から１２のいずれか一項に記載のプロファイル・クランプが配置されるフランジをその上に実現する導管端部を備える、導管連結組立体によって達成される。この場合、プロファイル・クランプを導管端部またはフランジ上で事前に組み付け、ここに第２の導管端部に連結されるまでまだ張力がかけられない状態か、またはほとんど張力がかけられない状態で保持することができる。
【００２６】
この場合、フランジが、封止要素のタブが係合する少なくとも１つのくぼみを備えることが特に好ましい。その結果、封止要素とフランジとの間にポジティブ・ロック式連結が生み出されるので、まだ張力がかけられていないプロファイル・クランプを、回転しないように導管端部上に配置することを確実にする。その結果、第２の導管端部との連結が非常に容易になり、プロファイル・クランプを片手で操作することが可能となる。
【００２７】
本発明は、図を併用して、好ましい例示的な実施形態によって以下により詳細に説明される。
【図面の簡単な説明】
【００２８】
【図１】部分的に張力がかけられた状態の、封止要素を備えたプロファイル・クランプを示す図である。
【図２】開かれた状態のフランジ上のプロファイル・クランプを示す図である。
【図３】封止要素の上面図である。
【図４】封止要素の側面図である。
【発明を実施するための形態】
【００２９】
図１は、張力顎部３、４がその端部に設けられたプロファイル・ストリップ２を備えるプロファイル・クランプ１を示す。前記張力顎部３、４は、プロファイル・ストリップ２を対応するように曲げることで生成される。
【００３０】
プロファイル・ストリップ２は、ブリッジ要素５によって共に連結された、２つのストリップ半体２ａ、２ｂを備える。ブリッジ要素５は、この場合、張力顎部３、４の反対側に配置され、これらの張力顎部は、張力ねじの形態の張力要素６によって共に連結される。
【００３１】
封止要素７は、プロファイル・ストリップ２の内側に配置される。封止要素７は、径方向に外方向に延びる保持ラグ８を備え、このラグは、張力要素６が依然として十分な範囲で移動することができるように張力要素６に連結される。張力要素６は、したがって、保持ラグ８に関連して枢動することができ、プロファイル・クランプ１に張力をかけるのに必要である張力要素６の回転は、保持ラグ８によって妨げられない。
【００３２】
封止要素７は、さらに、第１の径方向に内方向に突出するタブ９と、第２の径方向に内方向に突出するタブ１０とを備える。これらのタブは、ほぼ張力顎部３、４の領域内で実現される。第１のタブ９と第２のタブ１０は、異なる寸法を有する。第２のタブ１０は、したがって、第１のタブ９より大きい領域にわたって円周方向に延びている。しかし、保持ラグ８に対する第１のタブおよび第２のタブ９、１０の一部分は、実質的に同じであり、それにより、対称的な配置が生み出される。
【００３３】
封止要素７は、さらに、保持ラグ８の直径方向に反対側に配置された突出部１１を備える。突出部１１は、この場合、プロファイル・ストリップの凹部１２の領域内に位置する。凹部１２は、プロファイル・ストリップ２の必要な弾性を可能にするので、プロファイル・クランプ１を、フランジ上に嵌合することができるように十分な量で曲げて開くことができる。
【００３４】
この場合、保持ラグ８および突出部１１の両方を封止要素７と一体的に実現することができる。保持ラグおよび突出部の両方は、封止要素７をプロファイル・ストリップ２に関連するか、またはプロファイル・クランプ１を回転に対してロックする目的で機能する。このようにして、変位に対する信頼高い保護が得られる。
【００３５】
また、封止要素７は、２つの内方向に突出する指部１３、１４を備える。これら指部は、弾性的に変形可能であり、導管端部のフランジ上に予備張力をかけて置くことができる。
【００３６】
図２は、導管端部のフランジ１５上に嵌合された開状態にあるプロファイル・クランプ１を示す。封止要素７が、さらに、プロファイル・ストリップ２の内側で対称的に、突出部１１および保持ラグ８によってしっかりと保持されて位置することが確認される。その結果、プロファイル・ストリップ２に関連する封止要素７の回転は排除される。
【００３７】
図３は、プロファイル・クランプ１が無い場合の封止要素７を示す。この場合、保持ラグ８、タブ９、１０、突出部１１、および指部１３、１４と封止要素７との一体的設計を容易に確認することができる。
【００３８】
突出部１１の曲がり端部１６が、図４に示される封止要素７の側面図で見ることができる。張力要素６は、前記曲がり端部１６によって囲まれて係合されるので、張力要素６の十分な運動自由を可能にするポジティブ・ロック式の締め付けが達成される。
【００３９】
突出部１１は、軸方向に伸びる傾斜した端部分１７を備える。前記端部分１７は、プロファイル・ストリップ２の外側に径方向に配置され、プロファイル・ストリップ２の外面、またはブリッジ要素５に連結される。この場合、異なる連結技術、たとえば溶接、接着、またはエンボス加工を使用することができる。
【００４０】
本発明による設計は、プロファイル・クランプの開放状態にかかわらず、プロファイル・クランプの内側の封止要素の位置を固定することを可能にする。特に、２つの締め付け領域、すなわち保持ラグおよび突出部が設けられる場合、非常に丈夫な支承配置が存在する。特にこの場合、追加のタブの結果、変位に対する保護を、プロファイル・クランプと封止要素との間だけではなく、導管端部のフランジに関連してももたらすことができる。これにより、片手による組み付けが可能になり、プロファイル・クランプは、余分に固定される必要はない。プロファイル・クランプはまた、導管端部のフランジ上にしっかりと事前に位置決めされるので、導管端部をプロファイル・クランプと共に輸送することが可能になる。
【００４１】
本発明は、前述の例示的な実施形態の１つに制限されず、多様な方法で改変可能である。特に、保持ラグおよび／または突出部の形態は、図示するものから逸脱することができる。タブおよび指部の位置決めもまた、要求事項に応じて大きく変化し得る。
【００４２】
構造的詳細、空間的配置、および方法ステップを含む、特許請求の範囲、説明および図から生じる特徴および利点すべては、それら自体、および最も多様な組み合わせで本発明に必要になり得る。
【符号の説明】
【００４３】
１  プロファイル・クランプ
２  プロファイル・ストリップ
３  張力顎部
４  張力顎部
５  ブリッジ要素
６  張力要素
７  封止要素
８  保持ラグ
９  第１のタブ
１０  第２のタブ
１１  突出部
１２  凹部
１３  指部
１４  指部
１５  フランジ
１６  端部
１７  部分
【図１】
2019511684.tif 000003
【図２】
2019511684.tif 000004
【図３】
2019511684.tif 000005
【図４】
2019511684.tif 000006
【国際調査報告】
2019511684.tif 000007
2019511684.tif 000008
2019511684.tif 000009
2019511684.tif 000010